(57)【要約】【課題】  釣り糸が、風の強い日や船の横揺れやポイント移動時に受ける強い風により、トップガイドやその近傍のガイドに絡みやすく、また、近年軽くて強いポリエチレン撚糸が多用されるようになり、特に濡れた釣り糸がトップガイドや竿先周辺のガイドに絡みつくトラブルが多発している。本発明はパイプやチューブを用いて糸絡みの少ない釣り竿を提供する。【解決手段】  トップガイドから繰り出された釣り糸が、釣り竿の先端に糸案内のパイプやチューブを取り付ける事によって前記釣り糸が前記トップガイドと常に一定の間隔を保持可能となる様に構成する。【選択図】  図1
2013027331.tif 000002
【特許請求の範囲】
【請求項１】
釣り竿の外周に釣り糸案内用のガイドを複数設けた外通しの釣り竿において、
釣り糸案内のための直線状のパイプの一端を釣り竿先端に設けられるトップガイドと、
前記トップガイドに隣接するガイド内を挿通し、他端を前記トップガイドより突出させたパイプと
前記トップガイドより突出したパイプに嵌めこんだチューブと
前記パイプの脱落防止のための位置保持部材と
を設けたことを特徴とする釣り糸案内装置。
【請求項２】
釣り竿の外周に釣り糸案内用のガイドを複数設けた外通しの釣り竿において、
釣り糸案内のためのパイプを略９０度に湾曲させ、一端を釣り竿先端に設けられるトップガイドや、前記トップガイドに隣接するガイド内を挿通したパイプと
前記パイプの脱落防止のための位置保持部材と
を設けたことを特徴とする釣り糸案内装置。
【請求項３】
釣り竿先端に取り付けられるトップガイドに、糸案内のための糸案内筒体を設け、前記糸案内筒体をトップガイドの先端より突出させて形成されたことを特徴とする釣り糸案内装置。
【発明の詳細な説明】
【技術分野】
【０００１】
本発明は釣り竿の糸絡み防止に関する。
【背景技術】
【０００２】
一般に釣り竿は、中通しと呼ばれる釣り糸を竿管内に通すインナータイプや、釣り竿の外周に糸案内用のガイドを設けた外通しのもの、また竿元や中間部では外通しで竿先のみインナーというのもある、また振り出し竿や、並み継ぎ、印籠継ぎ、釣り場による磯竿、船竿、投げ竿、ルアー用、いかだ用の竿等またその長さも太さも多種多様である。
【先行技術文献】
【特許文献】
【０００３】
【特許文献１】特開2009-296964
【特許文献２】特開2009-273443
【特許文献３】特開2005-198590
【特許文献４】特開2003-274808
【特許文献５】特開2002-223671
【特許文献６】特開2002-101789
【特許文献７】特開2001-120122
【特許文献８】特開2001-095431
【特許文献９】特開2000-354440
【特許文献１０】特開2000-116285
【特許文献１１】特開2000-224943
【特許文献１２】特開2000-116287
【特許文献１３】特開H10-290649
【発明の概要】
【発明が解決しようとする課題】
【０００４】
釣り竿の外周に釣り糸案内用のガイドを複数設けた外通しの釣り竿において、釣り糸が風の強い日や船の横揺れやポイント移動時に受ける強い風により、トップガイドやその近傍のガイドに絡みやすく、特に、近年ナイロン糸から腰の弱いポリエチレン撚糸が多用されるようになり、特に濡れた釣り糸がトップガイドや竿先周辺のガイドに絡みつくトラブルが多発している。絡み難いインナータイプの釣り竿においても同様である。
【０００５】
最も釣り糸が絡み難いのは、インナータイプが一番ではあるが欠点も多い、まず加工の難しさから値段が高いことである、竿管内を中空にし、なおかつ水切りを良くするため管内にらせん状の突起を設けたりするため技術的に難しいこと、故に竿先が太くなること、重たいこと、釣り糸が水分を竿管内に引き入れるため糸の出が悪くなり飛距離が出なくなること、竿先のトップガイドに糸が絡むことが多々あること等の欠点である。
【０００６】
上記の問題を解決するため数多くの提案が開示されている。これら先行技術は後述する本案の構成とは異なるものである。多くの提案を分類すると、外付けのガイドを改良したものでは、特開H10-290649や特開2000-116287、特開2000-116285、特開2002-101789、特開2003-274808、特開2005-198590、特開2009-273443、等があり、竿先周辺のガイドをパイプや筒状の袋体でカバーしたものでは特開2001-095431、特開2002-223671が有り、元竿や中間部は外付けガイドで竿先部のみ中通しにしたものに特開2000-224943、特開2009−296964などがある。またガイドとガイドの間にパイプを設けたものに特開2000-354440、特開2001-120122等に大別される。いずれも竿への糸絡みを少なくしょうとするものである。
【０００７】
ガイドの改良には前記、特開H10-290649や特開2000-116287、特開2000-116285、特開2002-101789、特開2003-274808、特開2005-198590、特開2009-273443、等があり、いろいろ改良されているが竿に突起物を設けることに変わりはなく濡れた釣り糸が絡みやすいことに変わりはない。
【０００８】
また、竿先周辺をパイプや筒状の袋体でガイド類をカバーした特開2001-095431、特開2002-223671などが有るが、敏感であるべき竿先の機能を阻害するものである。
【０００９】
また、元竿や中間部は外付けガイドで竿先部のみ中通しにしたものでは特開2000-224943、特開2009-296964等があるが、前記の様に加工が複雑で高価に付く欠点がある。
【００１０】
また、竿先のトップガイドと隣接するガイドにパイプを嵌めこんだものとして特開2000-354440、特開2001-120122等があるが、関連部品も専用の部品を制作しなければならず、高価に付きそうであると共に他の釣り竿との互換性がない。
【００１１】
釣り糸が釣り竿に絡みやすいのはトップガイドから繰り出された釣り糸と釣り竿の先端が近接しているためである。一度投入された釣り糸を巻き上げ、仕掛けを手にした時釣り糸は濡れており、フケている。少しの風や竿先の揺れなどで絡みついてしまう。本案は竿先の特性を損なうことなく釣り竿への糸絡み防止効果の高い釣り糸案内装置を提供することを目的とする。、
【課題を解決するための手段】
【００１２】
前記課題を解決するために、請求項1の発明図1は、釣り竿の外周に釣り糸案内用のガイドを複数設けた外通しの釣り竿において、
樹脂製パイプ(4)の一端にパイプの位置保持のための軟質弾性体から成る摺動可能な位置保持部材(5)と軟質弾性体から成るチューブ(7)を嵌め込み接着固定され、他端をトップガイド(2)とこれに隣接する2番ガイド(3)のガイド内を挿通させる、このときトップガイドと2番ガイドの間にパイプの位置保持のための位置保持部材(6)を設けたことを特長とする釣り糸案内装置。
【００１３】
請求項2の発明図2は、釣り竿の外周に釣り糸案内用のガイドを複数設けた外通しの釣り竿において、樹脂製パイプ(8)を略９０度に湾曲させ、一端よりパイプの位置保持のための軟質弾性体から成る摺動可能な位置保持部材(5)を嵌めこみ、曲りの手前で接着固定しトップガイド(2)とこれに隣接する二番ガイド(3)のガイド内を挿通させる、このときトップガイドと2番ガイドの間にパイプの位置保持のための位置保持部材(6)を設けたことを特長とする釣り糸案内装置。
【００１４】
請求項3の発明図3、図4は、糸案内筒体 (10)をトップガイド(9)より突出させて支持固着させ、前記、糸案内筒体に軟質弾性体のチューブ(11)を嵌めこんだ釣り糸案内装置。
【発明の効果】
【００１５】
実施例1の発明の効果
【００１６】
リールにより巻き上げられた仕掛けを取り込みフック付サルカンを手に取った時、釣り糸はフケているが竿の先端部はチユーブにより釣り糸と釣り竿は少なくとも5ｃｍ以上離れているため、トップガイドやその近傍のガイドに絡みつく事が防げる。
【００１７】
また、先端部に設けられた緩やかに湾曲した柔軟なチューブにより、風の吹く方向の反対すなわち右から風が吹けば先端のチューブは左を向いている。そこから延びる釣り糸も左に膨れるように竿から離れる、反対の風にも同様で釣り糸と釣り竿の間隔が保持され糸がらみが大幅に軽減される。  
【００１８】
場所移動などで釣り竿を一旦仕舞う場合、釣り糸が通されたパイプやチューブはそのままで、パイプを元竿近くのガイドまで全てのガイドを挿通する。先端部のチューブは柔軟なため竿先カバーの邪魔にはならず、むしろ折れやすい竿先をパイプが補強している。また釣り糸が通された状態のため素早く竿出しが出来る。
【００１９】
パイプ、位置保持部材、チューブ等は全て既成品であり非常に安価に製作できる。
【００２０】
釣り糸案内用のガイドを複数設けた外通しの釣り竿においては、大部分の釣り竿や古い釣り竿にも利用出来る上、パイプやチューブは着脱自在で使い回しも可能である。
【００２１】
チューブ類には蛍光剤や畜光剤などが練りこまれており夜釣りには便利であり、ケミカルライトなど他の蛍光材を取り付けることも省ける。
【００２２】
本案の釣り糸案内装置は非常に軽く製作出来る。パイプの外径2.2ｍｍ内径1.2ｍｍ長さ20ｃｍ、チューブの外径4ｍｍ内径2ｍｍ長さ7ｃｍ位置保持部材2個の総合計は1.8ｇである。チヌ釣り等の繊細な釣り竿にも十分使用に耐え得るものである。
【００２３】
先端にチューブを設けた釣り竿に於いては遠投も可能である。チューブの先端からのびる釣り糸に結ばれた錘の付いた仕掛けやルアー等を強く投げた場合、柔軟なチューブは釣り糸に引かれて直線状になり、スムーズに糸は繰り出される。
【００２４】
また、パイプやチューブを外せば普通の釣り竿として使える。
【００２５】
実施例２の発明の効果
【００２６】
リールにより巻き上げられた仕掛けを取り込みフック付サルカンを手に取った時、釣り糸はフケているが竿の先端部は曲げられたパイプにより釣り糸と釣り竿は少なくとも5ｃｍ以上離れているため、トップガイドやその近傍のガイドに絡みつく事が防げる。
【００２７】
また、先端部に設けられた緩やかに湾曲した回動自在なパイプにより、風の吹く方向の反対すなわち右から風が吹けば先端のパイプは左を向いている。そこから延びる釣り糸も左に膨れるように竿から離れる、反対の風にも同様で釣り糸と釣り竿の間隔が保持され糸がらみが大幅に軽減される。  
【００２８】
場所移動などで釣り竿を一旦仕舞う場合、釣り糸が通されたパイプはそのままで、パイプを元竿近くのガイドまで全てのガイドを挿通する。折れやすい竿先をパイプが補強している。また釣り糸が通された状態のため素早く竿出しが出来る。
【００２９】
パイプや位置保持部材等は全て既成品であり非常に安価に製作できる。
【００３０】
釣り糸案内用のガイドを複数設けた外通しの釣り竿においては、大部分の釣り竿や古い釣り竿にも利用出来る上、パイプは着脱自在で使い回しも可能である。
【００３１】
また、パイプを外せば普通の釣り竿として使える。
【００３２】
実施例3の発明の効果。
【００３３】
リールにより巻き上げられた仕掛けを取り込みフック付サルカンを手に取った時、釣り糸はフケているが竿の先端部はチユーブにより釣り糸と釣り竿は少なくとも5ｃｍ以上離れているため、トップガイドやその近傍のガイドに絡みつく事が防げる。
【００３４】
また、先端部に設けられた緩やかに湾曲したチューブにより、風の吹く方向の反対すなわち右から風が吹けば先端のチューブは左を向いている。そこから延びる釣り糸も左に膨れるように竿から離れる、反対の風にも同様で釣り糸と釣り竿の間隔が保持され糸がらみが大幅に軽減される。
【００３５】
釣り糸案内用のガイドを複数設けた外通しの釣り竿においては、トップガイドの交換のみで大部分の釣り竿や古い釣り竿にも利用出来る。
【００３６】
チューブ類には蛍光剤や畜光剤などが練りこまれており夜釣りには便利であり、ケミカルライトなど他の蛍光材を取り付けることも省ける。
【００３７】
トップガイドの糸案内筒体にチューブを嵌めた釣り竿に於いては遠投も可能である。チューブの先端からのびる釣り糸に結ばれた錘の付いた仕掛けやルアー等を強く投げた場合、柔軟なチューブは釣り糸に引かれて直線状になり、糸はスムーズに繰り出される。
【００３８】
また、チューブを外せば普通の釣り竿として使える。
【図面の簡単な説明】
【００３９】
【図１】実施例１の実施の形態に係る釣り竿先端部の斜視図である。
【図２】実施例2の実施の形態に係る釣り竿先端部の斜視図である。
【図３】実施例3の実施の形態に係るトップガイドの斜視図である。
【図４】実施例3のトップガイドにチューブを設けた斜視図である。
【発明を実施するための形態】
【００４０】
図１、図２、図３、図４は本発明の実施の形態を示すものである。
【実施例１】
【００４１】
実施例１を示す図１について説明する。
直線状のパイプ(4)を2番ガイド(3)内を挿通させ、位置保持部材(6)を挿通しトップガイド(2)内を挿通させる、トップガイドを挿通したパイプに位置保持部材(5)を再び挿通させ略1ｃｍ突出させこれにチューブ(7)を嵌めこみ接着したものである。
【００４２】
位置保持部材5および6はトップガイドを挟み込むように配置され、パイプがガイド内から脱落するのを防止している。
【００４３】
パイプ(4)はトップガイド(2)と２番ガイド(3)内を挿通させた構成であるが、釣り竿の種類によっては３番ガイド、４番ガイドを挿通させてもよい。
【００４４】
リールより繰り出された釣り糸は、各ガイドを通じて先端部まで通され、先端に設けられたパイプやチューブ内を糸通しワイヤにて引き出される、引き出された釣り糸はフック付きサルカンに結ばれる。          
【００４５】
フック付きサルカンには針や錘が付けられた仕掛けが繋がれる。
【００４６】
パイプの太さは外径が2.2ｍｍ前後とし内径は1.2ｍｍ前後が好ましい、各ガイドの内径より細いものを用いて、ガイド内を摺動および回動自在なものとする。
【００４７】
ちなみにＰＥと呼ばれるポリエチレン撚糸からなる釣り糸の最も使われている釣り糸の太さは、１号で０．１６５ｍｍで３号では0.285ｍｍである。
【００４８】
位置保持部材の貫通孔およびチューブの内径はパイプの外径よりやや狭少とする。
【００４９】
パイプの長さは、振り出し竿に於いては竿を仕舞ったときに全てのガイドを挿通できる長さがあり、なおかつ竿を伸ばした時に2番ガイドより長く設ける。
【００５０】
先端部に設けられる柔軟なチューブ(7)の先端は、釣り竿の軸方向に対して略45度に垂れる程度の弾性が好ましく、釣り竿の軸芯より5ｃｍ以上離れたものが好ましい。  
【実施例２】
【００５１】
実施例２を示す図２について説明する。
特に船釣り用に開発したもので直下型の釣りに向いている。略90度に湾曲させたパイプ(8)を位置保持部材(5)やトップガイド(2)内を挿通させ、再度位置保持部材(6)内を挿通させ二番ガイド(3)内を挿通させた長さに形成する。
【００５２】
パイプ(8)はトップガイド(2)と２番ガイド(3)内を挿通させた構成であるが、釣り竿の種類によっては３番ガイド、４番ガイドを挿通させてもよい。
【００５３】
位置保持部材5および6はトップガイドを挟み込むように配置され、パイプがガイド内から脱落するのを防止している。
【００５４】
リールより繰り出された釣り糸は、各ガイドを通じて先端部まで通され、先端に設けられたパイプ(8)内を糸通しワイヤにて引き出される、引き出された釣り糸はフック付きサルカンに結ばれる。          
【００５５】
パイプの太さは外径が２.2ｍｍ前後とし内径は１.2ｍｍ前後が良い、各ガイド環の内径より細いものを用いて、ガイド環内を摺動および回動自在なものとする。
【００５６】
位置保持部材の貫通孔およびチューブの内径はパイプの外径よりやや狭少とする。
【００５７】
パイプの長さは、振り出し竿に於いては竿を仕舞ったときに全てのガイドを挿通できる長さがあり、なおかつ竿を伸ばした時に二番ガイドより長く設ける。
【００５８】
先端部に設けられる湾曲したパイプの角度は釣り竿の軸方向に対して略90度程度が好ましく、その先端は釣り竿の軸芯より5ｃｍ以上離れたものが好ましい。  
【実施例３】
【００５９】
実施例3を示す図３、図４について説明する。
通常トップガイド(9)に設けられる導糸環(リング)を糸案内筒体(10)に変えトップガイドに支持固定する。一端をトップガイドより突出させ、チューブ(11)を嵌め込むように形成した釣り糸案内装置である。
【００６０】
トップガイドより突出した糸案内筒体に嵌められる柔軟なチューブ(11)の先端は、釣り竿の軸方向に対して略45度に垂れる程度の弾性が好ましく、釣り竿の軸芯より5ｃｍ以上離れたものが好ましい。
【００６１】
リールより繰り出された釣り糸は、各ガイドを通じて先端部まで通され、トップガイドに設けられた糸案内筒体を経てチューブ内を糸通しワイヤにて引き出される、引き出された釣り糸はフック付きサルカンに結ばれる。
【符号の説明】
【００６２】
1  釣り竿
2  トップガイド
3  ２番ガイド
4、8  パイプ
5、6  位置保持部材
7,11  チューブ
9  糸案内筒体を設けたトップガイド
10  糸案内筒体 
【図１】
2013027331.tif 000003
【図２】
2013027331.tif 000004
【図３】
2013027331.tif 000005
【図４】
2013027331.tif 000006